(57)【要約】    【課題】  挿脱可能なディスク上のデータと記録媒体上のデータとの両方を合わせてランダム再生することにより、新鮮で飽きの来ない高品位なエンターテイメント性を実現可能なデータ再生装置を提供する。    【解決手段】  記録制御部８のメモリコントローラ８ａ及び再生制御部５にはランダム再生制御部９が接続されている。このランダム再生制御部９はユーザが操作する操作部１０からのランダム再生指令を受けて乱数列を生成し、ＣＤ側のデータとハードディスク７側のデータの両方を合わせた上で、前記乱数列に従ってデータをランダム再生するように構成されている。【選択図】  図１
2005293672.tif 000002
【特許請求の範囲】
【請求項１】
データを記録したディスクを挿脱自在に収納すると共に、前記ディスクからのデータ書き込みが可能な記録媒体を設置し、これらディスク及び記録媒体に記録されたデータを再生可能なデータ再生装置において、
前記ディスク側のデータと前記記録媒体側のデータとを混合してランダムに再生するように構成されたことを特徴とするデータ再生装置。
【請求項２】
前記ディスクが抜かれたとき前記記録媒体に記録されたデータのみでランダム再生するように構成されたことを特徴とする請求項１に記載のデータ再生装置。
【請求項３】
異なるフォーマットで記録されたデータを混存させたままランダム再生するように構成されたことを特徴とする請求項１又は２に記載のデータ再生装置。
【発明の詳細な説明】
【技術分野】
【０００１】
本発明は、挿脱可能なディスクを収納すると共にハードディスクなどの記録媒体を設置したデータ再生装置に係り、特に、ディスク上のデータと記録媒体上のデータとを合わせた上でのランダム再生が可能であるデータ再生装置に関するものである。
【背景技術】
【０００２】
デジタル技術の進展に伴って車載用情報機器は多様化しており、特にエンターテイメント性の多彩化が強く求められる傾向にある。例えば、音楽データを再生する装置としては、複数のディスクを収容するマガジンを備えたものや、ハードディスクドライブにＣＤプレーヤを一体的に設けたものなどが提案されている。前者の装置ではマガジン内のＣＤを連続再生することができ、後者の装置ではＣＤプレーヤで再生したＣＤの音楽データをハードディスクに記録しておきこれを再生することができる。このため、面倒なＣＤの交換作業を行うことなく、長時間にわたってのデータ再生が可能である。
【０００３】
また、以上のような音楽データ用の再生装置には通常、曲順を任意に変更して再生するランダム再生機能が付与されている。この機能を使えば、同一のＣＤやデータを更新していないハードディスクを聴く場合でも、曲順を変えることでリスナに新鮮な印象を与えることができる。このようなランダム再生機能を持つデータ再生装置によれば、遠距離ドライブや渋滞など乗車時間が長期化する状況にあっても、気軽に音楽を楽しむことができ、快適な車内環境を得ることができる。
【特許文献１】特公平２−４７０３３号公報
【発明の開示】
【発明が解決しようとする課題】
【０００４】
しかし従来のデータ再生装置において、ランダム再生の対象となるデータは、ＣＤ上のデータだけか、あるいはハードディスク上のデータだけに限られていた。ランダム再生とは順番をかえて再生するだけなので、何度か行っているうちには新鮮さが薄れていき、ランダム再生そのものが飽きられてしまうことがあった。
【０００５】
本発明は、以上の問題点を解決するために提案されたものであり、その目的は、挿脱可能なディスク上のデータと記録媒体上のデータとの両方を合わせてランダム再生することにより、新鮮で飽きの来ない高品位なエンターテイメント性を実現可能なデータ再生装置を提供することである。
【課題を解決するための手段】
【０００６】
上記目的を達成するために、請求項１の発明は、データを記録したディスクを挿脱自在に収納すると共に、前記ディスクからのデータ書き込みが可能な記録媒体を設置し、これらディスク及び記録媒体に記録されたデータを再生可能なデータ再生装置において、前記ディスク側のデータと前記記録媒体側のデータとを混合してランダムに再生するように構成されたことを特徴とする。
【０００７】
以上のような請求項１の発明では、予め記録された記録媒体上のデータに対し、挿入したディスク上のデータを含めた上でランダム再生することができるため、記録媒体側のデータを更新しなくとも、挿入するディスクを入れ替えるだけできわめて簡単に、新たな組み合わせのランダム再生が可能となり、リスナに新鮮な印象を与え続けることができる。
【０００８】
請求項２の発明は、請求項１に記載のデータ再生装置において、前記ディスクが抜かれたとき前記記録媒体に記録されたデータのみでランダム再生するように構成されたことを特徴とする。
【０００９】
このような請求項２の発明では、ランダム再生時にディスクが抜かれた場合でも、記録媒体のデータをランダム再生可能である。
【００１０】
請求項３の発明は、請求項１又は２に記載のデータ再生装置において、異なるフォーマットで記録されたデータを混存させたままランダム再生するように構成されたことを特徴とする。
【００１１】
このような請求項３の発明では、異なるフォーマットのデータを混存させたままでランダム再生可能なので、いかなるフォーマットのディスクであっても、このディスク側のデータと記録媒体側のデータを合わせてランダムにデータ再生できる。したがって、ユーザはフォーマットを意識せずにディスクを選ぶことができ、煩わしさを感じることなくランダム再生機能を使うことができる。
【発明の効果】
【００１２】
上述した本発明のデータ再生装置では、挿脱可能なディスク上のデータと記録媒体上のデータとの両方を合わせてランダム再生することことにより、挿入するディスクを変えるだけで簡単に新鮮な印象をリスナに与えることができ、高品位なエンターテイメント性を実現可能である。
【発明を実施するための最良の形態】
【００１３】
続いて、本発明を実施するための最良の形態(以下「実施形態」と呼ぶ)について図面を参照して具体的に説明する。なお、本実施形態は周辺機器を備えたコンピュータをプログラムで制御することで実現するが、この場合のハードウェアやプログラムの実現態様は各種変更可能である。なお、本発明のデータ再生装置はランダム再生という機能に特徴があるため、この機能を実現するプログラムそのもの、あるいはプログラムを記録したコンピュータで読み取り可能な記録媒体としても捉えることができる。そこで図１において、本発明及び本実施形態の機能を実現するものとして仮想的な機能ブロック図を示し、これを用いて説明する。
【００１４】
〔１.構成〕
本実施形態は車載用のハードディスクナビゲーション装置１に適用される。この装置は、ＣＤプレーヤ２で再生したオーディオデータをハードディスク７内に記録しておき、ハードディスク７に記録したオーディオデータを再生するものであり、図１の機能ブロック図に示す各要素を具備している。
【００１５】
すなわち、音楽再生用のＣＤプレーヤ２が一体的に設置されており、ここにはＣＤが挿脱自在に収納されるようになっている。また、ＣＤプレーヤ２にはピックアップやサーボモータなどを含む機構部４と、これら機構部４を制御する再生制御部５とが設けられている。再生制御部５はＣＤから読み出されたオーディオデータを増幅してスピーカ６に出力すると共に、記録装置３側にデータを出力するようになっている。
【００１６】
記録装置３側にはハードディスク７と記録制御部８が設けられている。ハードディスク７はＣＤプレーヤ２で再生したオーディオデータを書き込み可能で且つデータの書き換え可能な記録媒体である。このハードディスク７にはナビゲーションプログラムや、各種の地点情報を含む道路地図データが格納されると共に、ＣＤプレーヤ２からのオーディオデータを記録するための記録領域が形成されている。
【００１７】
記録制御部８は、ハードディスク７に対するデータの読み書きを制御するメモリコントローラ８ａと、ＣＤプレーヤ２側から入力されたデータをハードディスク７への記録用データに圧縮するエンコーダ部８ｂと、ハードディスク７から読み出したデータを展開するデコーダ部８ｃとを有しており、展開したデータをスピーカ６に出力するようになっている。また、メモリコントローラ８ａ及び上記再生制御部５は異なるフォーマットで記録されたデータに対応可能に設定されており、ここではＣＤ−ＤＡとＭＰ３の２種類のデータを再生するための回路が組み込まれている。
【００１８】
さらに、記録制御部８のメモリコントローラ８ａ及び再生制御部５にはランダム再生制御部９が接続されている。このランダム再生制御部９はユーザが操作する操作部１０からランダム再生指令を受けて乱数列を生成し、ＣＤ側のデータとハードディスク７側のデータの両方を合わせた上で、前記乱数列に従ってデータをランダム再生するように構成されている。
【００１９】
ところで、前記操作部１０では再生している曲の終了操作、いわゆるスキップ操作や、ランダム再生自体の終了操作、さらにはランダム再生の対象となる種類の選択操作を行うように構成されている。なお、ランダム再生の対象として選択される種類とは次の４つのパターンである。すなわち、ＣＤ側とハードディスク７側の全てのデータを対象とした全曲選択(１)、ディスク単位若しくはフォルダ単位を対象とした単位選択(２)、ＣＤ側とハードディスク７側のデータを合わせたデータのうち個別に選んだデータを対象とした個別選択(３)、前記の単位選択と個別選択との組み合わせた選択(４)である。
【００２０】
また、前述した単位選択(２)におけるディスク単位とは、１枚のＣＤがハードディスク７側にフォルダ形式で1つのディスクとして記録した場合に、ＣＤプレーヤ２内に挿入されているＣＤも含めてディスク単位とすることが可能である。さらにフォルダ単位とは、ハードディスク７側に記録されたデータをアーティスト毎や音楽のジャンル毎に分類してフォルダ形式としている場合に有効である。
【００２１】
〔２.作用〕
本実施形態においてデータをランダムに再生する流れについて、図２のフローチャートを用いて説明する。まず操作部１０においてランダム再生の対象となる種類を選択し（ステップ１）、ランダム再生制御部９へランダム再生指令を出力することでランダム再生操作を行う（ステップ２のＹＥＳ）。続いて、ＣＤプレーヤ２内にＣＤがあるかどうかを確認し（ステップ３）、ＣＤがあれば（ステップ３のＹＥＳ）、ＣＤ側のデータを含めた上で選択種類に対応した曲の情報を抽出する（ステップ４）。一方、ＣＤがなければ（ステップ３のＮＯ）、ＣＤ側のデータを除いた上で選択種類に対応した曲の情報を抽出する（ステップ５）。
【００２２】
曲の情報を抽出した後、ランダム再生制御部９にて乱数を生成する（ステップ６）。ここではランダム操作を行う毎に乱数を生成するように設定しているが、予め乱数列を設定してある場合にはこのステップを省いてもよい。次に曲を選択し(ステップ７)、選択した曲がＣＤ−ＤＡであれば（ステップ８のＹＥＳ）、メモリコントローラ８ａ若しくは再生制御部５においてＣＤ−ＤＡ再生回路を起動し、曲を再生する（ステップ９）。
【００２３】
また、選択した曲がＣＤ−ＤＡでなければ（ステップ８のＮＯ）、選択した曲がＭＰ３であるかどうかを確認し（ステップ１０）、選択した曲がＭＰ３であれば（ステップ１０のＹＥＳ）、メモリコントローラ８ａ若しくは再生制御部５においてＭＰ３再生回路を起動して曲を再生する（ステップ１１）。さらに、選択した曲がＭＰ３でなければ（ステップ１０のＮＯ）、一定時間、再生不能を表示する（ステップ１２）。なお、本実施形態ではＣＤ−ＤＡとＭＰ３の２種類のデータを再生するように設定されているが、その他の再生方式に存在する場合には、その判断をステップ１０の後に追加することによって、他の再生方式への対応が可能である。
【００２４】
曲の再生中あるいは再生不能表示後、操作部１０によりユーザが曲のスキップ操作、すなわち、再生途中での曲再生の終了操作を行うと（ステップ１３のＹＥＳ）、ＣＤが途中で抜けている場合を想定してステップ３の前まで戻る。曲再生の終了操作を行わなければ（ステップ１３のＮＯ）、選択した曲の再生が終了したかどうかを確認する（ステップ１４）。選択した曲の再生が終了していない場合には(ステップ１４のＮＯ)、ステップ１３に戻る。
【００２５】
また、選択した曲の再生が終了すると（ステップ１４のＹＥＳ）、ランダム再生の終了操作を確認し（ステップ１５）、操作部１０により終了操作が行われた場合は(ステップ１５のＹＥＳ)、ランダム再生を終了する。一方、ランダム再生の終了操作が行われなかった場合には(ステップ１５のＮＯ)、次の曲に移行する。この時、ＣＤが途中で抜けている場合を想定してステップ３にまで戻る。
【００２６】
なお、図２のフローチャートは本実施形態の一例を示すものであり、適宜変更は可能である。例えば、ステップ１５のランダム再生終了操作はフローの各段階で確認動作を行うことでも良い。また、上記フローチャートではステップ４又はステップ５において毎回選択した情報を抽出するようにしているが、予めバッファメモリなどに曲情報を記憶しておいても良い。
【００２７】
さらに、曲終了操作を行った場合（ステップ１３のＹＥＳ）若しくはランダム再生の終了操作が行われなかった場合(ステップ１５のＮＯ)に、ＣＤが挿入されていることを前提としているときにはステップ６やステップ７の前にまで戻しても良い(図２のフローチャートに点線の矢印で図示)。ただし、このときは既に選択されている曲情報の中からＣＤに関する情報があった場合、スキップするようにしておく方が望ましい。
【００２８】
〔３.効果〕
以上のような本実施形態によれば、予め記録されたハードディスク７上の曲と、ＣＤプレーヤ２内に挿入したＣＤ上の曲との両方を組み合わせ、しかもランダム再生の対象となる曲を選択した上で、高い自由度でランダム再生を実施することができる。このため、ハードディスク７に記録したデータを更新することなく、挿入するＣＤを入れ替えるたびに、新しい組み合わせのランダム再生が可能となり、リスナに対して新鮮な印象を容易に与えることができる。この結果、ランダム再生といったオーソドックスで単純な機能を、ビギナからハードユーザまで幅広く、且つ長期にわたって楽しむことができ、エンターテイメント性の多彩化を図ることが可能である。
【００２９】
また、本実施形態では２種類のフォーマットで記録されたデータを混存させたままでもランダム再生が可能なので、ユーザはフォーマットを意識することなく、挿入するディスクを自由に選ぶことができる。このため、フォーマットの統一を考えることなく、ランダム再生機能を使用する際に煩わしさを感じることがない。
【００３０】
さらに、本実施形態において、ＣＤがＣＤプレーヤ２から再生途中に抜かれた場合にはハードディスク７側のデータだけでランダム再生することが可能である。しかも、ハードディスク７側にＣＤのデータを記録させておけば、実際にはハードディスク７上の曲をランダム再生するだけで、あたかもＣＤとハードディスクの両方の曲に関してランダム再生を実施したかのようにリスナに聞かせることが可能である。
【００３１】
〔４.他の実施形態〕
なお、本発明は車載用機器に好適ではあるが、これに限らず家庭用や携帯用のデータ再生装置などにも広く適用可能である。また、再生されるデータも音楽データに限らず、画像データや動画データであってもよい。
【００３２】
さらに、挿脱自在なディスクとしてはＣＤ−ＲＯＭやＭＯなどのリムーバルディスクが包まれており、このディスクからデータを書き込む記録媒体としてはハードディスクに限らず大容量の半導体メモリであってもよい。なお、ディスクに記録されるフォーマットの種類としては、デジタルオーディオ形式であるＣＤ−ＤＡをはじめとして、圧縮形式であるＭＰ３やＷＭＡ、さらにはＭＰＥＧ１、ＭＰＥＧ２、ＭＰＥＧ４、ＤＶなどを採用可能である。
【図面の簡単な説明】
【００３３】
【図１】本発明の実施形態の構成を示す機能ブロック図。
【図２】本発明の実施の形態における処理手順を示すフローチャート。
【符号の説明】
【００３４】
１…ハードディスクナビゲーション装置
２…ＣＤプレーヤ
３…記録装置
４…機構部
５…再生制御部
６…スピーカ
７…ハードディスク
８…記録制御部
８ａ…メモリコントローラ
８ｂ…エンコーダ部
８ｃ…デコーダ部
９…ランダム再生制御部
１０…操作部
【図１】
2005293672.tif 000003
【図２】
2005293672.tif 000004